(57)【要約】【課題】  植えてある花や草等を傷めず安全に片手で鉢を持ち運ぶことができ，構造が極めて簡素で鉢への装着も極めて簡単に行うことができ，外観上も体裁がよく包装としても満足でき，さらに，未使用時は積み重ねて場所をとらずに保管することができる鉢の運搬用具を提供する。【解決手段】  横長の硬質で弾力性のある合成樹脂製板材の中央に運搬する鉢又は鉢の水受け皿の底面の幅よりも狭い間隔を配して２条の折り目を形成すると共に前記鉢又は鉢の水受け皿の底面形状とほぼ一致する形状の切れ目を前記折り目の外側に対向させて形成し，両側端部に吊り下げ部をそれぞれ形成する。【選択図】  図１
2005143422.tif 000002
【特許請求の範囲】
【請求項１】
横長の板状に硬質で弾力性のある合成樹脂で形成し，中央に運搬する鉢の底面の幅よりも狭い間隔を配して２条の折り目を形成すると共に前記鉢の底面の形状とほぼ一致する形状の切れ目を前記折り目の外側に対向させて形成し，両側端部に吊り下げ部をそれぞれ形成した鉢運搬用具。
【請求項２】
横長の板状に硬質で弾力性のある合成樹脂で形成し，中央に運搬する鉢の水受け皿の底面の幅よりも狭い間隔を配して２条の折り目を形成すると共に前記鉢の水受け皿の底面の形状とほぼ一致する形状の切れ目を前記折り目の外側に対向させて形成し，両側端部に吊り下げ部をそれぞれ形成した鉢運搬用具。
【請求項３】
折り目からの側端までの長さを等しく形成し，最寄りの折り目から等しい長さ位置の左右の側端部に溝形の切れ目を入れて吊り下げ部を形成した請求項１若しくは請求項２に記載の鉢運搬用具。
【請求項４】
前記切れ目が，鉢若しくは鉢の水受け皿の底面の直径とほぼ一致する直径の円弧状である請求項１ないし請求項３に記載の鉢運搬用具。
【請求項５】
前記切れ目が，鉢若しくは鉢の水受け皿の底面の形状とほぼ一致する角形である請求項１ないし請求項３に記載の鉢運搬用具。
【発明の詳細な説明】
【技術分野】
【０００１】
本発明は，花や草等を植えてある鉢を簡単に手で吊り下げて運搬することのできる簡易な用具に関するものである。
【背景技術】
【０００２】
従来，花や草等を植えてある鉢を生産者等からフラワーショップに運搬するについては，運搬中に鉢が動いて植えてある花や草等が傷むことがないように，丸い孔を複数個開けた段ボール等を用意し，この段ボール等の丸い孔に鉢を挿入固定して動かないようにしている。
【０００３】
しかし，フラワーショップで鉢植えの花や草を購入したときには，上記のような適当な運搬手段がなく，このため，包装紙を鉢に巻き付け，鉢の底に包装紙を止着し，これを手で持って運搬している。
【０００４】
このような方法は，フラワーショップで包装に手間がかかるだけでなく，包装紙，包装用テープ，接着テープ等，幾つかの包装用品の常備が必要である等の不利があるだけでなく，鉢の運搬の際に，購入者は両手で注意深く取り扱わないと植えてある花や草等を傷めてしまうことがある。特に，購入した鉢が，手土産やお祝い品であるときには，格別に注意深い取り扱いが必要である。
【特許文献１】特開２００１−１９９４９３
【発明の開示】
【発明が解決しようとする課題】
【０００５】
そこで，本発明は，植えてある花や草等を傷めず安全に片手で鉢を持ち運ぶことができ，構造が極めて簡素で鉢への装着も極めて簡単に行うことができ，外観上も体裁がよく包装としても満足でき，さらに，未使用時は積み重ねて場所をとらずに保管することができる鉢の運搬用具の提供を目的とするものである。
【課題を解決するための手段】
【０００６】
上記課題を解決するための本発明の構成は，横長の板状に硬質で弾力性のある合成樹脂で形成し，中央に運搬する鉢の底面の幅よりも狭い間隔を配して２条の折り目を形成すると共に前記鉢の底面の形状とほぼ一致する形状の切れ目を前記折り目の外側に対向させて形成し，両側端部に吊り下げ部をそれぞれ形成したものである。
【０００７】
また，本発明は，横長の板状に硬質で弾力性のある合成樹脂で形成し，中央に運搬する鉢の水受け皿の底面の幅よりも狭い間隔を配して２条の折り目を形成すると共に前記鉢の水受け皿の底面の形状とほぼ一致する形状の切れ目を前記折り目の外側に対向させて形成し，両側端部に吊り下げ部をそれぞれ形成する構成を採択することができる。この場合，下に水受け皿を敷いた状態で鉢を手に持って運搬することができる。
【０００８】
更に，本発明は，上記の鉢搬送用具において，折り目からの側端までの長さを等しく形成し，最寄りの折り目から等しい長さ位置の左右の側端部に溝形の切れ目を入れて吊り下げ部を形成することができる。
【０００９】
そして，上記の鉢搬送用具において，鉢又は鉢の水受け皿の底面形状が円形の場合には，前記切れ目を鉢若しくは鉢の水受け皿の底面の直径とほぼ一致する直径の円弧状とし，鉢又は鉢の水受け皿の底面形状が方形の場合には，底面形状に対応する角形とすることができる。
【００１０】
上記構成の鉢の運搬用具の使用は，まず，中央の２条の折り目と折り目の外側に形成した切れ目の上に運搬する鉢を置く。次に，折り目より左右の側部をそれぞれ鉢に沿って折り曲げる。そして，折り曲げられた折り目の左右の側部の端部に形成した吊り下げ部を重ね合わせ，該吊り下げ部を手でつかみ，吊り下げて運搬する。このとき，折り曲げられた折り目の側部は弾力性があるので鉢の周面の傾きにより鉢の外側に湾曲した状態に屈曲し，鉢に植えてある花や草等に外側から柔らかく接触することとなる。そして，鉢はその底部が中央の２条の折り目と切れ目の上にあり，鉢の底部の一部が切れ目より露出すると共に切れ目の縁に当たっていて左右方向や前後方向への動きが阻害されるので，吊り下げられた状態は安定である。
【００１１】
鉢は，下に水受け皿を敷くことがある。このとき，２条の折り目を鉢の水受け皿の底面の幅よりも狭い間隔を配して形成し，鉢の水受け皿の底面形状とほぼ一致する形状の切れ目を前記折り目の外側に対向させて形成すれば，上記と同様に，下に水受け皿を敷いた状態で鉢を片手で持って運搬することができる。
【００１２】
更に，上記の鉢搬送用具において，折り目からの側端までの長さを等しく形成し，最寄りの折り目から等しい長さ位置の左右の側端部に溝形の切れ目を入れて手提げ部を形成すれば，折り目から折り曲げた際に，左右の手提げ部の高さが同じとなり，指先を溝形の切れ目から挿入することにより，片手で容易に吊り下げて鉢を運搬することができる。
【発明の効果】
【００１３】
本発明は，上記の通り，硬質で弾力性のある合成樹脂製の横長の一枚の板材から成るものであり，構造が極めて簡素で鉢への装着も極めて簡単に行うことができ，外観上も体裁がよく包装としても満足でき，さらに，未使用時は積み重ねて場所をとらずに保管することができる利点がある。
【００１４】
また，本発明は，合成樹脂製の横長の一枚の板材の中央に設ける２条の折り目を運搬する鉢又は鉢の水受け皿の底面の幅よりも狭い間隔を配しすると共に鉢又は鉢の水受け皿の底面形状に対応する切れ目を折り目の外側に一対設けることにより，鉢又は鉢の下に置いた水受け皿を２条の折り目と切れ目上に置き，折り目から折り曲げた際に，鉢又は鉢の下に置いた水受け皿が部分的に露出して切れ目の縁に当たるので左右方向や前後方向へ動くことがなく，安定した状態で鉢を運搬することができる。
【００１５】
そして，折り目から折り曲げた際に，折り目の側部が湾曲して鉢に植えてある花や草等に弾力的に当たるので鉢に植えてある花や草等を傷めずに鉢を運搬することができ，さらに，左右側端部の手提げ部に指を掛けて片手だけで鉢を吊り下げて安全に運搬することができるのてある。
【実施例】
【００１６】
以下、 図１及び図２を参照して，本発明の実施の一形態を説明する。
【００１７】
図１に示すように，横長の硬質で弾力性のある合成樹脂製板材１が用意される。この合成樹脂製板材１の中央に，運搬する鉢２又は鉢の水受け皿の底面の直径よりも狭い間隔を配して２条の折り目３，３が平行に形成される。そして，この折り目３，３の中央部の外側に，鉢２又は鉢の水受け皿の底面の直径とほぼ一致する直径の円弧状の切れ目４，４が対向させて形成される。さらに，折り目３，３の左右の側部５，５には，折り目３，３からの長さを一致させて，それぞれ溝形の切れ目６，６と，溝形の切れ目６，６の始部と始部をつなぐ折り目７，７が設けられて，吊り下げ部８，８を構成している。
【００１８】
この鉢運搬用具は，不使用時にはこのまま適数枚積み重ねて保管される。使用に際しては，図２に示すように，合成樹脂製板材１の円弧状の切れ目４，４上に鉢２又は鉢の水受け皿を置き，折り目３，３の左右の側部５，５を上方に折り曲げ，吊り下げ部８，８の溝形の切れ目６，６が重なり合うように屈曲させる。このとき，折り目３，３の左右の側部５，５は，その弾力性により鉢２の形状に沿って屈曲し，鉢２に植えてある花や草等と弾力的に当たるので鉢に植えてある花や草等を傷めることはない。また，合成樹脂製板材１の円弧状の切れ目４，４は折り目３，３の外側にあり，かつ，折り目３，３は運搬する鉢２又は鉢の水受け皿の底面の直径よりも狭い間隔としてあるから，置かれた鉢２又は鉢の水受け皿は，折り目３，３の左右の側部５，５を上方に折り曲げた際に，その一部分が切れ目４，４によって露出すると共に露出した一部分が切れ目４，４の縁に当たることとなり，運搬中に鉢運搬用具が動揺しても左右方向にも前後方向にも動くことはなく，安定である。鉢２の運搬は，重なり合わせた溝形の切れ目６，６に折り目７，７によって指を通し吊り下げて行う。運搬中に外から多少の衝撃を受けても，合成樹脂製板材１は硬質であるから，鉢２や鉢２に植えてある花や草等が傷むこともない。
【００１９】
上記の実施の形態は，１個の鉢を運搬するのに最適な形態であるが，本発明は，複数個の鉢の運搬用具としても実施することができる。その場合には，運搬する鉢の数だけの円弧状の切れ目４，４を適宜の間隔を配して設けることになる。手指で吊り下げて運搬する実施形態を採択した場合，あまり多数の鉢を運搬しようとしても，重量的に無理があるであろう。
【００２０】
尚，本発明の実施は，上記のように底面形状が円形の鉢又は鉢の水受け皿に限定されるものではない。底面形状が方形の鉢又は鉢の水受け皿であっても，切れ目の形状を角形とすることにより，底面形状が円形の鉢又は鉢の水受け皿と同様に運搬することが可能である。
【００２１】
また，本発明の実施に際し，鉢又は鉢の水受け皿の外形寸法に応じて合成樹脂製板材１の長さと幅が適宜選択されることも当然のことである。
【図面の簡単な説明】
【００２２】
【図１】本発明の実施の１形態に係る鉢運搬用具の平面図である。
【図２】図１の実施形態に係る鉢運搬用具の使用状態における正面図である。
【符号の説明】
【００２３】
１    合成樹脂製板材        
２    鉢                                                                      ３    折り目        
４    切れ目                                                                  ５    折り目の側部
６    溝形の切れ目                                                            ７    折り目
８    吊り下げ部
【図１】
2005143422.tif 000003
【図２】
2005143422.tif 000004